(57)【要約】【課題】プローブをプロービングさせるポイントの座標を適切な座標に修正可能とすると共に修正作業の作業効率を向上させる。【解決手段】電気的検査における検査ステップのステップ番号と検査ステップにおけるプロービング対象のポイントの符号とを対応付けた第１のデータおよびポイントの座標を示す第２のデータを記憶する記憶部と、検査ステップ毎のポイントの座標を一覧表示する検査ステップ一覧画像Ｇｆおよびポイントの符号と座標とを一覧表示するポイント一覧画像Ｇｓを表示部３に表示させる表示制御部と、各画像内で選択された座標に対して修正処理を実行して第２のデータ内の座標を修正する処理部とを備え、表示制御部は、座標が選択されたときおよび修正処理が実行されたときのいずれかのときにその座標に対応するポイントをプロービング対象とする全ての検査ステップのステップ番号を一覧表示する共通ステップ一覧画像Ｇｔを表示部３に表示させる。【選択図】図８
2014202665.tif 000002
【特許請求の範囲】
【請求項１】
回路基板上の予め指定された複数のポイントに検査用のプローブをプロービングさせて行う検査ステップを当該各ポイントの組み合わせを変更しつつ複数回実行する電気的検査における当該検査ステップ毎の当該各ポイントの位置を特定するための検査用データを記憶する記憶部と、修正操作に従って前記検査用データを修正する修正処理を実行する処理部と、前記検査用データに基づく画像を表示部に表示させる表示制御部とを備えたデータ処理装置であって、
前記記憶部は、前記各検査ステップの実行順序を示すステップ番号と当該各検査ステップにおける前記各ポイントを識別する各符号とを対応付けた第１のデータと、前記各符号にそれぞれ対応付けられて前記各ポイントの座標を示す第２のデータとを前記検査用データとして記憶し、
前記表示制御部は、前記記憶部に記憶されている前記各データに基づき、前記検査ステップ毎の前記各ポイントの前記座標を一覧表示する第１の画像、および前記各ポイントの前記符号と前記座標とを対応付けて一覧表示する第２の画像の少なくとも一方を前記表示部に表示させ、
前記処理部は、前記表示部に表示されている前記少なくとも一方の画像内において選択された前記座標に対して前記修正操作がされたときに前記修正処理を実行して前記第２のデータ内の前記座標を修正すると共に修正後の当該第２のデータを前記記憶部に記憶させ、
前記表示制御部は、前記修正処理の対象とする前記座標が選択されたときおよび当該修正処理が実行されたときのいずれかのときに当該座標に対応する前記ポイントをプロービングの対象とする全ての前記検査ステップの前記ステップ番号を一覧表示する第３の画像を前記少なくとも一方の画像と共に前記表示部に表示させると共に、前記修正処理が実行されたときに前記表示部に表示させている前記少なくとも一方の画像内における当該修正処理の対象の座標と同じ全ての座標を修正後の座標に更新して表示させるデータ処理装置。
【請求項２】
前記表示制御部は、前記第１の画像において、前記ポイントの前記符号と当該ポイントの前記座標とを対応付けて表示させる請求項１記載のデータ処理装置。
【請求項３】
前記表示制御部は、前記第３の画像において、前記ステップ番号と当該ステップ番号に対応する前記検査ステップにおいてプロービングの対象とする各ポイントの前記符号とを対応付けて表示させる請求項１または２記載のデータ処理装置。
【発明の詳細な説明】
【技術分野】
【０００１】
本発明は、回路基板に対する電気的検査においてプローブをプロービングさせるポイントの座標を修正可能に構成されたデータ処理装置に関するものである。
【背景技術】
【０００２】
この種の装置として、特開２０１０−１０７２６５号公報において出願人が開示したデータ生成装置が知られている。このデータ生成装置は、電子部品における各接続端子の先端部の位置を特定可能な情報を含んだ電子部品データ、電子部品を回路基板に実装するときの回路基板上の電子部品の位置等を示す情報を含んだマウンタデータ、および回路基板上における配線パターンやランドの位置や幅（形状）を特定可能な情報を含んだ配線パターンデータ（ＣＡＤデータやガーバデータ）に基づき、電子部品が実装されている回路基板に対する検査を行う際に検査用のプローブをプロービングさせるポイント（プロービング位置）を特定してその位置データを生成する。具体的には、このデータ生成装置では、実装状態における電子部品における接続端子の先端部の位置を電子部品データおよびマウンタデータに基づいて特定すると共に、配線パターンデータに基づいてランドの位置を特定して、接続端子の先端部の位置にランドが存在すると判別したときにそのランドの位置をポイントとして特定する。
【０００３】
一方、回路基板の製造時に生じる配線パターンの位置ずれや、電子部品を回路基板に実装するときに生じる位置ずれなどに起因して、上記した各データに基づいて特定したポイントに接続端子やランドが存在していないことがある。このため、この種のデータ生成装置には、一般的に、修正操作を行ってポイントの座標を修正する機能が備えられている。この場合、出願人は、次のような手順で座標の修正を行う機能を備えたデータ生成装置を開発している。１つ目の手順（第１の手順）で座標の修正を行うデータ生成装置では、まず、各検査ステップにおけるポイントの座標を一覧表示する画像を表示部に表示させ、次いで、操作部を操作して、画像の中から修正すべき座標を選択し、続いて、修正後の座標を入力する。この際に、処理部が修正後の座標を記憶部に記憶させる。他の検査ステップにおいても修正すべき座標が存在するときには、上記の操作を繰り返す。また、２つ目の手順（第２の手順）で座標の修正を行うデータ生成装置では、まず、回路基板上における全てのポイントに対して符号を付して、各検査ステップにおいてプロービングの対象とするポイントの符号を一覧表示する画像（第１の一覧画像）を表示部に表示させる。また、各ポイントの符号と座標とを対応付けて一覧表示する画像（第２の一覧画像）を表示部に表示させる。次いで、第１の一覧画像の中から修正が必要なポイントの符号を特定する。続いて、その符号に対応付けられた座標を第２の画像の中から選択し、続いて、修正後の座標を入力する。この際に処理部が修正後の座標を記憶部に記憶させる。
【先行技術文献】
【特許文献】
【０００４】
【特許文献１】特開２０１０−１０７２６５号公報（第５−６頁、第１図）
【発明の概要】
【発明が解決しようとする課題】
【０００５】
ところが、出願人が既に開発している座標の修正機能を備えた上記のデータ生成装置には、改善すべき以下の課題がある。すなわち、上記した第１の手順で座標の修正を行うデータ生成装置では、検査ステップ毎に座標を修正する必要がある。このため、複数の検査ステップにおいて同じ検査ポイントをプロービングの対象とする場合には、その検査ポイントの座標を修正する作業を複数回行う必要があり、作業効率の向上が困難となっている。また、第２の手順で座標の修正を行うデータ生成装置では、座標が修正されると、その座標に対応するポイントをプロービングの対象とする全ての検査ステップにおいて座標が修正されることとなる。この場合、１つの検査ステップにおいて修正後の座標が適切な座標であったとしても、他の検査ステップにおいては、例えば、電子部品との接触のおそれがあるなどの理由から、修正後の座標が不適切な座標となることがあり、その際には、座標を再度修正する必要がある。しかしながら、第２の手順で修正を行うデータ生成装置では、修正した座標に対応するポイントをプロービングの対象とする他の検査ステップを把握することが困難なため、各検査ステップにおいて適切な座標に修正するのが困難であるという課題が存在する。
【０００６】
本発明は、かかる課題に鑑みてなされたものであり、プローブをプロービングさせるポイントの座標を適切な座標に修正可能とすると共に修正作業の作業効率を向上し得るデータ処理装置を提供することを主目的とする。
【課題を解決するための手段】
【０００７】
上記目的を達成すべく請求項１記載のデータ処理装置は、回路基板上の予め指定された複数のポイントに検査用のプローブをプロービングさせて行う検査ステップを当該各ポイントの組み合わせを変更しつつ複数回実行する電気的検査における当該検査ステップ毎の当該各ポイントの位置を特定するための検査用データを記憶する記憶部と、修正操作に従って前記検査用データを修正する修正処理を実行する処理部と、前記検査用データに基づく画像を表示部に表示させる表示制御部とを備えたデータ処理装置であって、前記記憶部は、前記各検査ステップの実行順序を示すステップ番号と当該各検査ステップにおける前記各ポイントを識別する各符号とを対応付けた第１のデータと、前記各符号にそれぞれ対応付けられて前記各ポイントの座標を示す第２のデータとを前記検査用データとして記憶し、前記表示制御部は、前記記憶部に記憶されている前記各データに基づき、前記検査ステップ毎の前記各ポイントの前記座標を一覧表示する第１の画像、および前記各ポイントの前記符号と前記座標とを対応付けて一覧表示する第２の画像の少なくとも一方を前記表示部に表示させ、前記処理部は、前記表示部に表示されている前記少なくとも一方の画像内において選択された前記座標に対して前記修正操作がされたときに前記修正処理を実行して前記第２のデータ内の前記座標を修正すると共に修正後の当該第２のデータを前記記憶部に記憶させ、前記表示制御部は、前記修正処理の対象とする前記座標が選択されたときおよび当該修正処理が実行されたときのいずれかのときに当該座標に対応する前記ポイントをプロービングの対象とする全ての前記検査ステップの前記ステップ番号を一覧表示する第３の画像を前記少なくとも一方の画像と共に前記表示部に表示させると共に、前記修正処理が実行されたときに前記表示部に表示させている前記少なくとも一方の画像内における当該修正処理の対象の座標と同じ全ての座標を修正後の座標に更新して表示させる。
【０００８】
また、請求項２記載のデータ処理装置は、請求項１記載のデータ処理装置において、前記表示制御部は、前記第１の画像において、前記ポイントの前記符号と当該ポイントの前記座標とを対応付けて表示させる。
【０００９】
また、請求項３記載のデータ処理装置は、請求項１または２記載のデータ処理装置において、前記表示制御部は、前記第３の画像において、前記ステップ番号と当該ステップ番号に対応する前記検査ステップにおいてプロービングの対象とする各ポイントの前記符号とを対応付けて表示させる。
【発明の効果】
【００１０】
請求項１記載のデータ処理装置では、第１の画像および第２の画像の少なくとも一方の画像内において選択された座標に対して修正操作がされたときに修正処理を実行して第２のデータ内の座標を修正する。このため、このデータ処理装置によれば、修正した座標に対応するポイントをプロービングの対象としている全ての検査ステップにおいて、対応する座標を一度に修正させることができる。したがって、このデータ処理装置によれば、検査ステップ毎に座標を修正する構成と比較して、修正作業の作業効率を十分に向上させることができる。また、このデータ処理装置では、表示制御部が、修正処理の対象とする座標が選択されたときおよび修正処理が実行されたときのいずれかのときに座標に対応するポイントをプロービングの対象とする全ての検査ステップのステップ番号を一覧表示する第３の画像を表示部に表示させる。このため、このデータ処理装置によれば、修正しようとしている（または、修正した）座標のポイントがどの検査ステップでプロービングの対象となっているかを一目で確認することができるため、１つの検査ステップにおけるポイントの座標に対する修正が他の検査ステップに影響を及ぼす可能性があるか否かをこの第３の画像から確実かつ容易に把握することができる。したがって、このデータ処理装置によれば、他の検査ステップに影響を及ぼす可能性がある場合には、その影響を考慮して修正値を調整（または、再入力）することで、全ての検査ステップにおいて適切な座標に修正することもできる。
【００１１】
また、請求項２記載のデータ処理装置では、表示制御部が、第１の画像において、ポイントの符号と当該ポイントの座標とを対応付けて表示させる。このため、このデータ処理装置によれば、第１の画像において検査ステップのステップ番号と座標だけを表示する構成と比較して、検査ステップ毎のプロービング対象のポイントがどのポイントであるのかを、ポイントの符号から直感的に把握することができる。このため、このデータ処理装置によれば、修正すべき座標を効率的に選択することができる結果、作業効率をより向上させることができる。
【００１２】
また、請求項３記載のデータ処理装置では、表示制御部が、第３の画像において、ステップ番号とそのステップ番号に対応する検査ステップにおいてプロービングの対象とする各ポイントの符号とを対応付けて表示させる。このため、このデータ処理装置によれば、第３の画像において各検査ステップのステップ番号だけを表示する構成とは異なり、各検査ステップにおいてプロービングの対象とする各ポイントを一目で確認することができるため、１つの検査ステップにおけるポイントの座標に対する修正が他の検査ステップに影響を及ぼす可能性があるか否かを効率的に把握することができる。
【図面の簡単な説明】
【００１３】
【図１】データ処理装置１の構成を示す構成図である。
【図２】検査ステップデータＤｆの構成を説明する説明図である。
【図３】ポイントデータＤｓの構成を説明する説明図である。
【図４】検査ステップ一覧画像Ｇｆの表示画面図である。
【図５】ポイント一覧画像Ｇｓの表示画面図である。
【図６】共通ステップ一覧画像Ｇｔの表示画面図である。
【図７】データ処理装置１の使用方法を説明する第１の説明図である。
【図８】データ処理装置１の使用方法を説明する第２の説明図である。
【図９】データ処理装置１の使用方法を説明する第３の説明図である。
【図１０】データ処理装置１の使用方法を説明する第４の説明図である。
【発明を実施するための形態】
【００１４】
以下、データ処理装置の実施の形態について、図面を参照して説明する。
【００１５】
最初に、データ処理装置の一例としての図１に示すデータ処理装置１の構成について説明する。このデータ処理装置１は、同図に示すように、操作部２、表示部３、記憶部４および制御部５を備えて、回路基板に対する電気的検査を行う際に検査用のプローブを接触させる回路基板上のポイントの位置を特定するためのデータ（具体的には、後述するポイントデータＤｓ）を修正可能に構成されている。この場合、上記の電気的検査では、一例として、１回の検査ステップ（検査工程）において、２つのポイントにプローブを１本ずつ（合計２本）プロービングさせた状態で導体パターンの断線検査や電子部品の検査（定数検査）を行う。このため、この電気的検査では、検査ステップを各ポイントの組み合わせを変更しつつ複数回実行する。
【００１６】
操作部２は、一例として、キーボードおよびポインティングデバイスとしてのマウスを備えて構成されて、操作に応じて制御部５に対して操作信号を出力する。表示部３は、制御部５の制御に従い、各種の画像を表示する。具体的には、制御部５は、後述する検査ステップ一覧画像Ｇｆ、ポイント一覧画像Ｇｓおよび共通ステップ一覧画像Ｇｔを表示する。
【００１７】
記憶部４は、例えば、磁気記憶媒体やＲＡＭなどを備えて構成され、制御部５の動作プログラムを記憶する。また、記憶部４は、検査対象の回路基板の設計データ（回路基板における配線パターンの形状や、回路基板に実装される電子部品の実装位置等を特定可能なデータ）に基づいて予め生成された検査ステップデータＤｆ（第１のデータに相当する）およびポイントデータＤｓ（第２のデータに相当する）を記憶する。これらのデータＤｆ，Ｄｓは、検査用データに相当し、上記したように、回路基板に対する電気的検査を行う際に検査用のプローブを接触させる回路基板上のポイントの位置を特定するために用いられる。
【００１８】
この場合、検査ステップデータＤｆは、図２に概念的に示すように、回路基板に対する電気的検査において実行される検査ステップの順番を示すステップ番号（同図に示す「Ｓ１，Ｓ２，Ｓ３・・・」の番号）の情報と、各検査ステップにおいてプロービングの対象となるポイント（以下、「プロービング対象ポイント」ともいう）を識別する符号（同図に示す「Ｐ１〜Ｐ５，Ｐ７，Ｐ１２」の符号）の情報とが対応付けられて構成されている。また、ポイントデータＤｓは、図３に概念的に示すように、ポイントを識別する符号（同図に示す「Ｐ１〜Ｐ４」の符号）の情報と、各ポイントの座標（Ｘ座標およびＹ座標）の情報とが対応付けられて構成されている。
【００１９】
制御部５は、表示制御部および処理部として機能して、データ処理装置１を構成する各部を制御すると共に、各種の処理を実行する。具体的には、制御部５は、記憶部４に記憶されている検査ステップデータＤｆおよびポイントデータＤｓに基づき、検査ステップ一覧画像Ｇｆ、ポイント一覧画像Ｇｓおよび共通ステップ一覧画像Ｇｔを表示部３に表示させる。
【００２０】
この場合、検査ステップ一覧画像Ｇｆは、第１の画像に相当し、回路基板に対する電気的検査において実行される検査ステップ毎の各ポイントの座標を一覧表示する画像であって、図４に示すように、検査ステップのステップ番号（同図における「Ｓ１，Ｓ２，Ｓ３・・・」の番号）と、各検査ステップにおける各プロービング対象ポイントの符号（同図における「Ｐ１〜Ｐ５，Ｐ７，Ｐ１２」の符号）と、各ポイントの座標（Ｘ座標およびＹ座標）とを対応付けるように、ステップ番号とポイントの符号とポイントの座標とが１行に並んで表示される。また、この検査ステップ一覧画像Ｇｆでは、一例として、ステップ番号の小さい順（各検査ステップを実行する順番）にステップ番号、ポイントの符号、およびポイントの座標が配列されている。
【００２１】
また、ポイント一覧画像Ｇｓは、第２の画像に相当し、回路基板上において設定された全てのポイントの符号（同図における「Ｐ１〜Ｐ４」の符号）と各ポイントの座標とを対応付けて一覧表示する画像であって、図５に示すように、一例として、ポイントの符号とそのポイントの座標とが１行に並んで表示される。
【００２２】
また、共通ステップ一覧画像Ｇｔは、第３の画像に相当し、操作部２を用いた選択操作によって座標を修正する修正処理の対象とする座標が選択されたときに、検査ステップ一覧画像Ｇｆおよびポイント一覧画像Ｇｓと共に表示される。この場合、共通ステップ一覧画像Ｇｔは、図６に示すように、選択された座標に対応するポイントをプロービングの対象とする全ての検査ステップのステップ番号（同図における「Ｓ１，Ｓ２，Ｓ１０，Ｓ２５・・・」の番号）が一覧表示される。また、この共通ステップ一覧画像Ｇｔでは、検査ステップのステップ番号と、その検査ステップにおけるプロービング対象ポイントの符号とを対応付けるようにして、各検査ステップのステップ番号と各ポイントの符号とが並んで表示される。また、この共通ステップ一覧画像Ｇｔでは、同図に示すように、一例として、ステップ番号の小さい順（各検査ステップを実行する順番）にステップ番号およびポイントの符号が配列されている。
【００２３】
また、制御部５は、処理部として機能し、操作部２を用いた修正操作に従ってポイントデータＤｓを修正する修正処理を実行する。具体的には、制御部５は、表示部３に表示させている検査ステップ一覧画像Ｇｆおよびポイント一覧画像Ｇｓの少なくとも一方の画像内における各ポイントの座標の１つが操作部２を用いた選択操作によって選択され、その座標に対する修正操作がされたときに修正処理を実行してポイントデータＤｓ内の座標を修正する。また、制御部５は、修正後のポイントデータＤｓを記憶部４に記憶（上書き）させる。
【００２４】
また、制御部５は、修正処理を実行したときに、表示部３に表示させている各一覧画像Ｇｆ，Ｇｓ内における修正処理の対象とした座標と同じ全ての座標を修正後の座標に更新して表示させる。
【００２５】
次に、データ処理装置１を用いて、検査用データとしてのポイントデータＤｓを修正する方法、およびその際のデータ処理装置１の動作について、図面を参照して説明する。この場合、図２に示す検査ステップデータＤｆおよび図３に示すポイントデータＤｓが記憶部４に予め記憶されているものとする。
【００２６】
まず、操作部２を操作して、検査ステップデータＤｆおよびポイントデータＤｓの呼び出しを指示する。この際に、操作部２が操作信号を出力し、制御部５が操作信号に従って記憶部４から各データＤｆ，Ｄｓを読み出す。
【００２７】
次いで、操作部２を操作して、検査ステップ一覧画像Ｇｆおよびポイント一覧画像Ｇｓの表示を指示する。続いて、制御部５が、操作部２から出力された操作信号に従い、記憶部４から読み出した検査ステップデータＤｆおよびポイントデータＤｓに基づき、検査ステップ一覧画像Ｇｆおよびポイント一覧画像Ｇｓを表示部３に表示させる。
【００２８】
具体的には、制御部５は、回路基板に対する電気的検査において実行される各検査ステップのステップ番号の情報と、各検査ステップにおけるプロービング対象ポイントを識別する符号の情報とを、読み出した検査ステップデータＤｆから抽出する。また、制御部５は、各ポイントの座標（Ｘ座標およびＹ座標）の情報を、読み出したポイントデータＤｓから抽出する。
【００２９】
次いで、制御部５は、抽出した各情報からステップ番号、符号および座標を特定し、続いて、縦方向にステップ番号を小さい順に並べると共に、各ステップ番号に対応するポイントの符号を各ステップ番号の横方向に並べ、さらに、各ステップ番号に隣接させてポイントの座標を並べた検査ステップ一覧画像Ｇｆを表示させるための画像データを生成する。また、制御部５は、縦方向に全ての符号を小さい順に並べると共に、各符号に対応する座標を各符号の横方向に並べたポイント一覧画像Ｇｓを表示させるための画像データを生成する。次いで、制御部５は、生成した各画像データを表示部３に出力することにより、図７に示すように、検査ステップ一覧画像Ｇｆおよびポイント一覧画像Ｇｓを表示部３に表示させる。
【００３０】
ここで、各一覧画像Ｇｆ，Ｇｓ内に表示されている各ポイントの座標を修正するときには、操作部２を用いて選択操作を行う。具体的には、例えば、図８に示すように、操作部２のマウスを操作して検査ステップ一覧画像Ｇｆ内における修正対象の座標（例えば、同図に示すポイントＰ２の座標）の表示箇所にカーソル（ポインタ）を移動させ、続いて、マウスをクリックしてその座標を選択する。この際に、制御部５が、操作部２から出力された操作信号に従い、選択された座標の表示箇所の近傍に座標を入力するための入力用画像Ｇｉを表示させる。
【００３１】
また、制御部５は、操作部２から出力された操作信号に従い、共通ステップ一覧画像Ｇｔを、既に表示させている各一覧画像Ｇｆ，Ｇｓと共に表示部３に表示させる。具体的には、制御部５は、選択された座標に対応するポイントをプロービングの対象とする全ての検査ステップのステップ番号の情報を検査ステップデータＤｆから抽出する。また、制御部５は、検査ステップにおいて対象とするポイントの符号の情報を検査ステップデータＤｆから抽出する。次いで、制御部５は、抽出した情報からステップ番号および符号を特定し、続いて、縦方向にステップ番号を小さい順に並べると共に、各ステップ番号に対応するポイントの符号を各ステップ番号の横方向に並べた共通ステップ一覧画像Ｇｔを表示させるための画像データを生成する。次いで、制御部５は、生成した画像データを表示部３に出力することにより、図８に示すように、共通ステップ一覧画像Ｇｔを各一覧画像Ｇｆ，Ｇｓと共に表示部３に表示させる。
【００３２】
この場合、このデータ処理装置１では、この共通ステップ一覧画像Ｇｔが表示されることで、修正しようとしている座標のポイントがどの検査ステップでプロービングの対象となっているかを一目で確認することが可能となっている。このため、１つの検査ステップにおいて修正後の座標が適切な座標であったとしても、他の検査ステップにおいては電子部品との接触のおそれがあるなどの理由から不適切な座標となることがあるか否か、つまり、１つの検査ステップにおけるプロービング対象ポイントの座標に対する修正が他の検査ステップに影響を及ぼす可能性があるか否かをこの共通ステップ一覧画像Ｇｔから確実かつ容易に把握することが可能となっている。このため、このデータ処理装置１では、他の検査ステップに影響を及ぼす可能性がある場合には、その影響を考慮して事前に修正値を調整することで、全ての検査ステップにおいて適切な座標に修正することが可能となっている。
【００３３】
続いて、座標の修正値が決定したときには、操作部２を用いて修正操作を行う。具体的には、例えば、操作部２のキーボードを操作して修正後の座標を数値入力する。この際に制御部５は、図９に示すように、上記した入力用画像Ｇｉ内に入力された数値を表示させる。次いで、キーボードの決定キー（エンターキー）を操作する。この際に、制御部５は、修正処理を実行して、ポイントデータＤｓ内の座標（この例では、ポイントＰ２の座標）を修正すると共に、修正後のポイントデータＤｓを記憶部４に記憶（上書き）させる。
【００３４】
この場合、このデータ処理装置１では、ポイントデータＤｓにおけるポイントの座標を修正するため、修正対象の座標に対応するポイントをプロービング対象ポイントとしている全ての検査ステップにおいて対応する座標が一度に修正されることとなる。このため、検査ステップ毎に座標を修正する構成と比較して、修正作業の作業効率を十分に向上させることが可能となっている。
【００３５】
また、制御部５は、修正処理を実行したときには、図１０に示すように、表示部３に表示させている各一覧画像Ｇｆ，Ｇｓ内における修正処理の対象とした座標と同じ全ての座標（各一覧画像Ｇｆ，Ｇｓ内におけるポイントＰ２の座標）を修正後の座標に更新して表示させる。
【００３６】
なお、上記の例では、検査ステップ一覧画像Ｇｆ内における座標（ポイントＰ２の座標）を選択して修正操作を行ったが、ポイント一覧画像Ｇｓ内における座標を選択して修正操作を行うこともでき、この際にも制御部５は、上記した修正処理、入力用画像Ｇｉや共通ステップ一覧画像Ｇｔの表示、および各一覧画像Ｇｆ，Ｇｓ内における修正後の座標への更新表示を実行する。
【００３７】
また、上記の例では、操作部２を用いた選択操作によって修正処理の対象とする座標が選択されたときに共通ステップ一覧画像Ｇｔを表示させているが、修正処理を実行したときに共通ステップ一覧画像Ｇｔを表示させることもでき、この際には、座標の修正によって他の検査ステップに影響を及ぼす可能性があることを共通ステップ一覧画像Ｇｔから把握したときに、修正した座標を再度修正することができる。
【００３８】
続いて、修正すべき全ての座標についての修正操作および修正処理が終了したときには、操作部２を用いて終了操作を行う。これに応じて、制御部５が終了処理を実行する。以上により、ポイントデータＤｓの修正作業が終了する。
【００３９】
このように、このデータ処理装置１では、制御部５が、表示部３に表示されている各一覧画像Ｇｆ，Ｇｓ内において選択された座標に対して修正操作がされたときに修正処理を実行して第２のデータ内の座標を修正する。このため、このデータ処理装置１によれば、修正した座標に対応するポイントをプロービングの対象としている全ての検査ステップにおいて、対応する座標を一度に修正させることができる。したがって、このデータ処理装置１によれば、検査ステップ毎に座標を修正する構成と比較して、修正作業の作業効率を十分に向上させることができる。
【００４０】
また、このデータ処理装置１では、制御部５が、修正処理の対象とする座標が選択されたときおよび修正処理を実行したときのいずれかのときにその座標に対応するポイントをプロービングの対象とする全ての検査ステップのステップ番号を一覧表示する共通ステップ一覧画像Ｇｔを表示部３に表示させる。このため、このデータ処理装置１によれば、修正しようとしている（または、修正した）座標のポイントがどの検査ステップでプロービングの対象となっているかを一目で確認することができるため、１つの検査ステップにおけるポイントの座標に対する修正が他の検査ステップに影響を及ぼす可能性があるか否かをこの共通ステップ一覧画像Ｇｔから確実かつ容易に把握することができる。したがって、このデータ処理装置１によれば、他の検査ステップに影響を及ぼす可能性がある場合には、その影響を考慮して修正値を調整（または、再入力）することで、全ての検査ステップにおいて適切な座標に修正することもできる。
【００４１】
また、このデータ処理装置１では、制御部５が、検査ステップ一覧画像Ｇｆにおいて、ポイントの符号とポイントの座標とを対応付けて表示させる。このため、このデータ処理装置１によれば、検査ステップ一覧画像Ｇｆに検査ステップのステップ番号と座標だけを表示する構成と比較して、検査ステップ毎のプロービング対象ポイントがどのポイントであるのかを、ポイントの符号から直感的に把握することができる。このため、このデータ処理装置１によれば、修正すべき座標を効率的に選択することができる結果、作業効率をより向上させることができる。
【００４２】
また、このデータ処理装置１では、制御部５が、共通ステップ一覧画像Ｇｔにおいて、ステップ番号とそのステップ番号に対応する検査ステップにおいてプロービングの対象とする各ポイントの符号とを対応付けて表示させる。このため、このデータ処理装置によれば、共通ステップ一覧画像Ｇｔにおいて各検査ステップのステップ番号だけを表示する構成とは異なり、各検査ステップにおいてプロービングの対象とする各ポイントを一目で確認することができるため、１つの検査ステップにおけるポイントの座標に対する修正が他の検査ステップに影響を及ぼす可能性があるか否かを効率的に把握することができる。
【００４３】
なお、データ処理装置１は、上記した構成に限定されない。例えば、検査ステップ一覧画像Ｇｆおよびポイント一覧画像Ｇｓの双方を表示部３に表示させた状態で選択操作や修正操作を行う例について上記したが、検査ステップ一覧画像ＧｆおよびポイントデータＤｓの一方だけを表示させた状態で選択操作や修正操作を行うこともできる。
【００４４】
また、操作部２のキーボードを操作して座標を数値入力する例について上記したが、他の操作方法で座標を修正することもできる。例えば、マウスを操作して座標の値を増加または減少させて座標を修正する構成を採用することもできる。
【００４５】
また、操作部２、表示部３および記憶部４を備えた構成例について上記したが、これらを備えていない構成、つまり、データ処理装置１の外部装置としての操作部、表示部および記憶部を用いる構成を採用することもできる。
【符号の説明】
【００４６】
１  データ処理装置
２  操作部
３  表示部
４  記憶部
５  制御部
Ｄｆ  検査ステップデータ
Ｄｓ  ポイントデータ
Ｇｆ  検査ステップ一覧画像
Ｇｓ  ポイント一覧画像
Ｇｔ  共通ステップ一覧画像
【図１】
2014202665.tif 000003
【図２】
2014202665.tif 000004
【図３】
2014202665.tif 000005
【図４】
2014202665.tif 000006
【図５】
2014202665.tif 000007
【図６】
2014202665.tif 000008
【図７】
2014202665.tif 000009
【図８】
2014202665.tif 000010
【図９】
2014202665.tif 000011
【図１０】
2014202665.tif 000012